(57)【要約】【課題】従来と比べてより簡単に装置間で装置設定をコピーできるようにする。【解決手段】情報処理端末が、複数の装置のうち、装置設定のコピー元となるコピー元装置の装置設定ページにアクセスして当該装置設定ページを表示部に表示させている状態で、表示させている装置設定ページに示されている装置設定を、コピー先装置にコピーするよう指示する操作が行われると、表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーする。【選択図】図１
2019109848.tif 000002
【特許請求の範囲】
【請求項１】
情報処理端末と複数の装置とで構成されるネットワークシステムであり、
前記複数の装置は、それぞれ、
ネットワークを介して前記情報処理端末と通信する装置側通信部と、
ネットワーク経由で装置設定を行うための装置設定ページを提供するＷｅｂサーバと
を備え、
前記情報処理端末は、
制御部と、
ネットワークを介して前記装置と通信する端末側通信部と、
前記Ｗｅｂサーバが提供する前記装置設定ページを表示部に表示させるＷｅｂブラウザと
を備え、
前記装置のＷｅｂサーバが提供する装置設定ページは、
前記装置を識別するための装置識別情報と、前記装置設定ページを識別するためのページ識別情報とを含むネットワークアドレスによりアクセス可能であり、
前記情報処理端末の制御部は、
前記複数の装置のうち、装置設定のコピー元となるコピー元装置の装置設定ページにアクセスして当該装置設定ページを前記Ｗｅｂブラウザにより前記表示部に表示させている状態で、表示させている装置設定ページに示されている装置設定を、コピー先装置にコピーするよう指示する操作が行われると、前記表示部に表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーする
ことを特徴とするネットワークシステム。
【請求項２】
前記情報処理端末の制御部は、
前記コピー元装置の装置設定ページに示されている装置設定がコピーされた、前記コピー先装置の装置設定ページを、前記Ｗｅｂブラウザにより前記表示部に表示させる
ことを特徴とする請求項１に記載のネットワークシステム。
【請求項３】
前記情報処理端末の制御部は、
前記コピー元装置の装置設定ページに代えて、前記コピー元装置の装置設定ページに示されている装置設定がコピーされた、前記コピー先装置の装置設定ページを、前記Ｗｅｂブラウザにより前記表示部に表示させる
ことを特徴とする請求項２に記載のネットワークシステム。
【請求項４】
前記情報処理端末の制御部は、
前記コピー元装置の装置設定ページに示されている装置設定の設定値を、前記コピー先装置の装置設定ページにコピーし、当該コピー先装置の装置設定ページを前記表示部に表示させる際に、当該装置設定ページに示されている設定値のうち、コピーにより変更された設定値を強調表示させる
ことを特徴とする請求項２又は３に記載のネットワークシステム。
【請求項５】
前記情報処理端末の制御部は、
前記コピー元装置のＷｅｂサーバが提供する複数の装置設定ページのうち、指定された１つの装置設定ページにアクセスして当該装置設定ページを前記Ｗｅｂブラウザにより前記表示部に表示させている状態で、表示させている装置設定ページに示されている装置設定を、前記コピー先装置にコピーするよう指示する操作が行われると、前記表示部に表示させている装置設定ページのネットワークアドレスに含まれる装置識別情報を、前記コピー先装置の装置識別情報に置き換えることで、前記コピー先装置のＷｅｂサーバが提供する複数の装置設定ページのうち、前記表示部に表示させているコピー元装置の装置設定ページと同一の装置設定ページのネットワークアドレスを得、当該ネットワークアドレスにより前記コピー先装置の装置設定ページにアクセスする
ことを特徴とする請求項１〜４のいずれかに記載のネットワークシステム。
【請求項６】
前記情報処理端末の制御部は、
前記表示部に表示させているコピー先装置の装置設定ページに示されている装置設定を前記コピー先装置に送信するよう指示する操作が行われると、前記表示部に表示させている装置設定ページに示されている装置設定を前記端末側通信部により前記コピー先装置に送信させる
ことを特徴とする請求項２〜５のいずれかに記載のネットワークシステム。
【請求項７】
前記情報処理端末の制御部は、
前記コピー先装置の装置設定ページにアクセスして、前記コピー元装置の装置設定ページに示されている装置設定を、前記コピー先装置の装置設定ページにコピーした後、自動的に、当該装置設定ページに示されている装置設定を前記端末側通信部により前記コピー先装置に送信させる
ことを特徴とする請求項１に記載のネットワークシステム。
【請求項８】
前記情報処理端末の制御部は、
前記コピー元装置の装置設定ページを前記表示部に表示させている状態で、表示させている装置設定ページに示されている装置設定を前記コピー元装置に送信するよう指示する操作が行われると、前記表示部に表示させている装置設定ページに示されている装置設定を、前記端末側通信部により前記コピー元装置に送信させ、その後、前記コピー先装置を選択する操作が行われると、前記表示部に表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーする
ことを特徴とする請求項１〜７のいずれかに記載のネットワークシステム。
【請求項９】
前記複数の装置は、それぞれ、
近距離無線通信により前記情報処理端末と通信する装置側近距離無線通信部を備え、
前記情報処理端末は、
近距離無線通信により前記装置と通信する端末側近距離無線通信部を備え、
前記情報処理端末は、
前記装置にかざされると、前記端末側近距離無線通信部により当該装置と通信して、当該装置の装置識別情報を取得する
ことを特徴とする請求項８に記載のネットワークシステム。
【請求項１０】
前記情報処理端末の制御部は、
前記コピー元装置の装置設定ページを前記表示部に表示させている状態で、表示させている装置設定ページに示されている装置設定を前記コピー元装置に送信するよう指示する操作が行われた後、前記情報処理端末が前記コピー先装置にかざされると、前記表示部に表示させている装置設定ページのネットワークアドレスに含まれる装置識別情報を、前記コピー先装置から近距離無線通信により取得した装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーする
ことを特徴とする請求項９に記載のネットワークシステム。
【請求項１１】
制御部と、
ネットワーク経由で装置設定を行うための装置設定ページを提供するＷｅｂサーバを備えた複数の装置とネットワークを介して通信する端末側通信部と、
前記Ｗｅｂサーバが提供する前記装置設定ページを表示部に表示させるＷｅｂブラウザと
を備え、
前記装置のＷｅｂサーバが提供する装置設定ページは、
前記装置を識別するための装置識別情報と、前記装置設定ページを識別するためのページ識別情報とを含むネットワークアドレスによりアクセス可能であり、
前記制御部は、
前記複数の装置のうち、装置設定のコピー元となるコピー元装置の装置設定ページにアクセスして当該装置設定ページを前記Ｗｅｂブラウザにより前記表示部に表示させている状態で、表示させている装置設定ページに示されている装置設定を、コピー先装置にコピーするよう指示する操作が行われると、前記表示部に表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーする
ことを特徴とする情報処理端末。
【発明の詳細な説明】
【技術分野】
【０００１】
本発明は、ネットワークシステム及び情報処理端末に関するものであり、装置間で装置設定をコピーするネットワークシステム及び情報処理端末に適用して好適なものである。
【背景技術】
【０００２】
従来、画像形成装置などの装置として、ネットワーク経由で装置設定を行うことができるようにするＷｅｂサーバを内蔵するものがある。この装置では、ＷｅｂサーバにアクセスしているＰＣなどの情報処理端末のＷｅｂブラウザ上に、Ｗｅｂサーバが提供する装置設定ページを表示させ、この装置設定ページを介して装置設定を行うことができるようになっている。
【０００３】
さらに、このようなＷｅｂサーバの機能を有する装置の装置設定を、別の装置にコピーできるようにしたネットワークシステムがある。このネットワークシステムでは、装置のＷｅｂサーバにアクセスしている情報処理端末のＷｅｂブラウザ上に、装置設定をエクスポートするエクスポートページを表示できるようになっていて、このエクスポートページを介して装置設定をエクスポートするようユーザに指示されると、装置設定を装置から情報処理端末へと送信して、情報処理端末の記憶部に記憶させるようになっている。
【０００４】
さらに、このネットワークシステムでは、装置のＷｅｂサーバにアクセスしている情報処理端末のＷｅｂブラウザ上に装置設定をインポートするインポートページを表示できるようになっていて、このインポートページを介して装置設定をインポートするようユーザに指示されると、情報処理端末の記憶部に記憶されている装置設定（つまり別の装置から取得した装置設定）を情報処理端末から装置へと送信して装置の設定を更新させるようになっている。
【０００５】
従来のネットワークシステムでは、このような手順により、情報処理端末を介して装置間で装置設定をコピーできるようになっていた（例えば特許文献参照）。
【先行技術文献】
【特許文献】
【０００６】
【特許文献１】特開２００４−９４２９４号公報
【発明の概要】
【発明が解決しようとする課題】
【０００７】
しかしながら、従来のネットワークシステムでは、装置間で装置設定をコピーするためには、コピー元の装置設定の確認、インポートページの表示、インポートの指示、エクスポートページの表示、エクスポートの指示といった手順で情報処理端末を操作しなければならず、操作が煩雑であるという問題を有していた。
【０００８】
本発明は以上の点を考慮したものであり、従来と比べてより簡単に装置間で装置設定をコピーできるネットワークシステム及び情報処理端末を提案しようとするものである。
【課題を解決するための手段】
【０００９】
本発明のネットワークシステムは、情報処理端末と複数の装置とで構成されるネットワークシステムであり、前記複数の装置は、それぞれ、ネットワークを介して前記情報処理端末と通信する装置側通信部と、ネットワーク経由で装置設定を行うための装置設定ページを提供するＷｅｂサーバとを備え、前記情報処理端末は、制御部と、ネットワークを介して前記装置と通信する端末側通信部と、前記Ｗｅｂサーバが提供する前記装置設定ページを表示部に表示させるＷｅｂブラウザとを備え、前記装置のＷｅｂサーバが提供する装置設定ページは、前記装置を識別するための装置識別情報と、前記装置設定ページを識別するためのページ識別情報とを含むネットワークアドレスによりアクセス可能であり、前記情報処理端末の制御部は、前記複数の装置のうち、装置設定のコピー元となるコピー元装置の装置設定ページにアクセスして当該装置設定ページを前記Ｗｅｂブラウザにより前記表示部に表示させている状態で、表示させている装置設定ページに示されている装置設定を、コピー先装置にコピーするよう指示する操作が行われると、前記表示部に表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーするようにした。
【００１０】
また、本発明の情報処理端末は、制御部と、ネットワーク経由で装置設定を行うための装置設定ページを提供するＷｅｂサーバを備えた複数の装置とネットワークを介して通信する端末側通信部と、前記Ｗｅｂサーバが提供する前記装置設定ページを表示部に表示させるＷｅｂブラウザとを備え、前記装置のＷｅｂサーバが提供する装置設定ページは、前記装置を識別するための装置識別情報と、前記装置設定ページを識別するためのページ識別情報とを含むネットワークアドレスによりアクセス可能であり、前記制御部は、前記複数の装置のうち、装置設定のコピー元となるコピー元装置の装置設定ページにアクセスして当該装置設定ページを前記Ｗｅｂブラウザにより前記表示部に表示させている状態で、表示させている装置設定ページに示されている装置設定を、コピー先装置にコピーするよう指示する操作が行われると、前記表示部に表示させている装置設定ページのネットワークアドレスに含まれる装置識別情報を、前記コピー先装置の装置識別情報に置き換えることで前記コピー先装置の装置設定ページのネットワークアドレスを得、当該ネットワークアドレスにより前記コピー先装置の装置設定ページにアクセスして、前記コピー元装置の装置設定ページに示されている装置設定を、前記コピー先装置の装置設定ページにコピーするようにした。
【００１１】
このように、本発明は、情報処理端末にコピー元装置の装置設定ページを表示させている状態で、表示させている装置設定ページに示されている装置設定をコピー先装置にコピーするよう指示する操作を情報処理端末に対して行うだけで、コピー元装置の装置設定ページに示されている装置設定を、コピー先装置の装置設定ページにコピーすることができる。
【発明の効果】
【００１２】
かくして本発明は、従来と比べてより簡単に装置間で装置設定をコピーできるネットワークシステム及び情報処理端末を実現できる。
【図面の簡単な説明】
【００１３】
【図１】本実施の形態によるネットワークシステムの構成を示すブロック図である。
【図２】本実施の形態による画像形成装置のハードウェア構成を示すブロック図である。
【図３】本実施の形態による携帯端末のハードウェア構成を示すブロック図である。
【図４】本実施の形態による携帯端末のソフトウェア構成を示すブロック図である。
【図５】本実施の形態による装置設置ページの構成を示す図である。
【図６】本実施の形態による装置設定コピー動作を示すシーケンスチャートである。
【図７】図６に示すシーケンスチャートにつづくシーケンスチャートである。
【図８】本実施の形態によるコピー先の装置設定ページの構成を示す図である。
【発明を実施するための形態】
【００１４】
以下、発明を実施するための形態（以下、これを実施の形態と呼ぶ）について、図面を用いて詳細に説明する。
【００１５】
［１．ネットワークシステムの構成］
図１に、本実施の形態によるネットワークシステム１の構成を示す。このネットワークシステム１は、携帯端末２と、複数の画像形成装置３（３Ａ、３Ｂ）とで構成され、携帯端末２がネットワーク４を介して複数の画像形成装置３（３Ａ、３Ｂ）と接続されている。ネットワーク４は、例えば無線ＬＡＮ（Local Area Network）である。携帯端末２は、例えば、無線ＬＡＮ接続機能を備えたスマートフォンであり、複数の画像形成装置３（３Ａ、３Ｂ）のそれぞれは、例えば、無線ＬＡＮ接続機能を備えた複合機（Multi Functional Peripheral）である。このネットワークシステム１は、詳しくは後述するが、携帯端末２を介して画像形成装置３Ａ、３Ｂ間で装置設定をコピーできるようにしたシステムである。
【００１６】
［２．画像形成装置の構成］
ここで、図２を用いて、画像形成装置３（３Ａ、３Ｂ）のハードウェア構成について説明する。尚、画像形成装置３Ａと画像形成装置３Ｂは、同一構成のため、ここでは、一例として、画像形成装置３Ａのハードウェア構成について説明する。
【００１７】
図２に示すように、画像形成装置３Ａは、ハードウェア構成として、ＣＰＵ１０と、ＲＯＭ１１と、ＲＡＭ１２と、ストレージ１３と、操作パネル１４と、ＮＩＣ（Network Interface Card）１５と、Ｗｉ−Ｆｉユニット１６と、ＮＦＣ（Near Field Communication）タグ１７と、画像形成部１８とを有している。
【００１８】
ＣＰＵ１０は、ＲＯＭ１１やストレージ１３に格納された各種プログラムを実行することで画像形成装置３Ａを制御する。ＲＯＭ１１は、装置制御プログラム、通信制御プログラム、画像形成制御プログラムなどの制御プログラムを格納する。ＲＡＭ１２は、ＣＰＵ１０が各種プログラムを実行する際のワークエリアとして利用される。またこのＲＡＭ１２は、画像形成制御プログラムにより生成された画像データなどを一時的に格納する一時記憶領域としても利用される。
【００１９】
ストレージ１３は、例えば不揮発性メモリやハードディスクであり、画像形成装置３Ａの装置設定に関する情報などを格納する。尚、装置設定とは、例えば、画像形成（印刷）に関する設定、ユーザに関する設定、ネットワークに関する設定、省電力に関する設定などである。さらにこのストレージ１３には、外部機器（例えば携帯端末２）からネットワーク４経由で画像形成装置３Ａの装置設定を行うことができるようにするＷｅｂサーバのプログラムが格納されている。具体的に、このＷｅｂサーバは、ネットワーク４経由でアクセスしてきた携帯端末２に、画像形成装置３Ａの装置設定を行うためのＷｅｂページ（これを装置設定ページと呼ぶ）を提供するようになっている。尚、Ｗｅｂサーバは、装置設定の種類ごとに用意された複数の装置設定ページのうち、指定された装置設定ページを提供するようになっている。
【００２０】
操作パネル１４は、画像形成装置３Ａの状態を表示するとともに、ユーザによる操作入力を受け付ける。ＮＩＣ１５は、図示しない有線ＬＡＮへの通信接続を制御する。Ｗｉ−Ｆｉユニット１６は、無線ＬＡＮであるネットワーク４への通信接続を制御する。ＮＦＣタグ１７は、所定の情報が書き込まれていて、ＮＦＣタグの読取機能を有する外部機器（例えば携帯端末２）が近づけられると、近距離無線通信により、書き込まれている情報を近づけられた外部機器に送信する。またこのＮＦＣタグ１７は、ＲＯＭ１１に格納された所定のプログラムにより、所定の情報を書き込んだり書き込まれている情報を更新したりできるようにもなっている。尚、画像形成装置３ＡのＮＦＣタグ１７には、例えば、画像形成装置３Ａの機種名とＩＰアドレスが書き込まれている。画像形成部１８は、ＲＡＭ１２に格納されている画像データをもとに、用紙などの媒体に画像を形成する（つまり印刷する）。画像形成装置３Ａのハードウェア構成は、以上のようになっている。
【００２１】
［３．携帯端末の構成］
次に、図３を用いて、携帯端末２のハードウェア構成について説明する。図３に示すように、携帯端末２は、ハードウェア構成として、ＣＰＵ２０と、ＲＡＭ２１と、ストレージ２２と、タッチパネル２３と、Ｗｉ−Ｆｉユニット２４と、ＮＦＣユニット２５とを有している。
【００２２】
ＣＰＵ２０は、ストレージ２２に格納された各種プログラムを実行することで携帯端末２を制御する。ＲＡＭ２１は、ＣＰＵ２０が各種プログラムを実行する際のワークエリアとして利用される。またこのＲＡＭ２１は、各種プログラムで扱う情報を一時的に格納する一時記憶領域としても利用される。ストレージ２２は、例えば不揮発性メモリであり、ＯＳ（Operating System）や、通信制御プログラムなどの制御プログラム、さらにＷｅｂブラウザなどのアプリケーションプログラム（以下、単にアプリと呼ぶ）を格納する。タッチパネル２３は、各種情報を表示するとともに、ユーザによる操作入力を受け付ける。つまり、タッチパネル２３は、表示部兼操作部として機能する。
【００２３】
Ｗｉ−Ｆｉユニット２４は、無線ＬＡＮであるネットワーク４への通信接続を制御する。ＮＦＣユニット２５は、ＮＦＣタグの読取機能を有していて、例えば、携帯端末２がＮＦＣタグ１７を有する画像形成装置３Ａ（もしくは画像形成装置３Ｂ）に近づけられると、近距離無線通信により、画像形成装置３ＡのＮＦＣタグ１７に書き込まれている情報（例えば画像形成装置３Ａの機種名とＩＰアドレス）を読み取る。携帯端末２のハードウェア構成は、以上のようになっている。
【００２４】
次に、図４を用いて、携帯端末２のソフトウェア構成について説明する。尚、このソフトウェア構成は、携帯端末２のＣＰＵ２０がストレージ２２に格納されている各種プログラムを実行することで実現される機能構成であり、ここでは、説明の都合上、携帯端末２を介して画像形成装置３Ａ、３Ｂ間で装置設定をコピーする際の携帯端末２の動作に係るソフトウェア構成についてのみ説明する。
【００２５】
図４に示すように、携帯端末２は、ソフトウェア構成として、無線ＬＡＮ通信制御部３０と、ＮＦＣ通信制御部３１と、タッチパネル制御部３２と、Ｗｅｂブラウザ３３と、専用アプリ３４とを有している。
【００２６】
無線ＬＡＮ通信制御部３０は、Ｗｉ−Ｆｉユニット２４を制御して無線ＬＡＮであるネットワーク４への通信接続を行う。具体的に、この無線ＬＡＮ通信制御部３０は、ネットワーク４を介して画像形成装置３（３Ａ、３Ｂ）との無線通信を行う。ＮＦＣ通信制御部３１は、ＮＦＣユニット２５を制御して近距離無線通信を行う。具体的に、このＮＦＣ通信制御部３１は、携帯端末２が画像形成装置３（３Ａ、３Ｂ）に近づけられると、ＮＦＣユニット２５により画像形成装置３（３Ａ、３Ｂ）のＮＦＣタグ１７から情報を読み取る。
【００２７】
タッチパネル制御部３２は、Ｗｅｂブラウザ３３や専用アプリ３４などの実行中プログラムからの要求に応じて各種情報をタッチパネル２３に表示させるとともに、タッチパネル２３へのユーザ操作を入力として実行中プログラムへ伝達する。Ｗｅｂブラウザ３３は、一般的なＷｅｂページ閲覧用アプリである。具体的に、このＷｅｂブラウザ３３は、無線ＬＡＮ通信制御部３０を介して画像形成装置３（３Ａ、３Ｂ）のＷｅｂサーバにアクセスし、Ｗｅｂサーバが提供する装置設定ページを取得して、これをタッチパネル制御部３２を介してタッチパネル２３に表示させる。
【００２８】
専用アプリ３４は、画像形成装置３Ａ、３Ｂ間で装置設定をコピーするための専用のアプリである。この専用アプリ３４は、コピー元の画像形成装置３のＷｅｂサーバが提供する装置設定ページから得られる装置設定の設定値と装置設定ページのネットワークアドレスであるＵＲＬ（Uniform Resource Locator）とを記憶する設定値記憶部３４Ａと、画像形成装置３のＮＦＣタグ１７に書き込まれている情報を取得するＮＦＣタグ情報取得部３４Ｂとを有している。因みに、ＮＦＣタグ情報取得部３４Ｂは、ＲＡＭ２１もしくはストレージ２２にＮＦＣタグ１７から取得した情報を記憶するようになっている。また、設定値記憶部３４Ａも同様に、ＲＡＭ２１もしくはストレージ２２に設定値とＵＲＬを記憶するようになっている。またこの専用アプリ３４は、Ｗｅｂブラウザ３３に対して、起動指示、アクセスするＵＲＬの指定、装置設定ページ内の設定値の書き換えなどを行うことができるようにもなっている。専用アプリ３４による、画像形成装置３Ａ、３Ｂ間で装置設定をコピーする際の動作については後述する。携帯端末２のソフトウェア構成は、以上のようになっている。
【００２９】
［４．装置設定ページの構成］
次に、画像形成装置３（３Ａ、３Ｂ）のＷｅｂサーバが提供する装置設定ページの構成について説明する。図５に、Ｗｅｂブラウザ３３のブラウザ画面４０に表示された装置設定ページ４１を示す。ブラウザ画面４０は、携帯端末２のタッチパネル２３に表示された画面であり、ＷｅｂページのＵＲＬを入力及び表示するアドレス入力欄４０Ａと、アドレス入力欄４０Ａに入力されたＵＲＬにアクセスして得られるＷｅｂページを表示するページ表示領域４０Ｂとを有している。図５は、このブラウザ画面４０のアドレス入力欄４０Ａに、画像形成装置３Ａの装置設定ページ４１のＵＲＬ（例えばhttp://192.168.10.1/admin/adminfrm.htm）が入力され、このＵＲＬにアクセスして得られる装置設定ページ４１が、ページ表示領域４０Ｂに表示されている例である。
【００３０】
尚、図５に示す装置設定ページ４１は、画像形成装置３ＡのＷｅｂサーバが提供する複数の装置設定ページのうちの１つであるが、画像形成装置３ＡのＷｅｂサーバが提供する他の装置設定ページについても、設定項目が異なるだけで、基本的なページ構成は変わらない。また、画像形成装置３ＢのＷｅｂサーバは、画像形成装置３ＡのＷｅｂサーバが提供する装置設定ページと同一の装置設定ページを提供するようになっている。ゆえに、ここでは、一例として、画像形成装置３ＡのＷｅｂサーバが提供する装置設定ページ４１について説明する。
【００３１】
装置設定ページ４１は、各装置設定ページへのリンク４２が表示されるリンク表示領域４１Ａと、装置設定の設定値４３が表示される設定値表示領域４１Ｂと、設定値表示領域４１Ｂに表示させる設定値４３を選択するための設定メニュー４１Ｃとを有している。
【００３２】
リンク表示領域４１Ａには、画像形成装置３ＡのＷｅｂサーバが提供する複数の装置設定ページのそれぞれに対応するリンク４２が表示されていて、且つ現在表示している装置設定ページ（この場合、装置設定ページ４１）に対応するリンク４２が強調表示されるようになっている。リンク表示領域４１Ａに表示される各リンク４２には、アクセス先となる装置設定ページのＵＲＬが対応付けられていて、任意のリンク４２を選択操作することで、任意の装置設定ページに移動できるようになっている。
【００３３】
尚、画像形成装置３ＡのＷｅｂサーバが提供する複数の装置設定ページは、それぞれ画像形成装置３Ａを識別するための装置識別情報であるＩＰアドレス（例えば192.168.10.1）と、装置設定ページを識別するためのページ識別情報（例えばadmin/adminfrm.htm）とで構成されるＵＲＬ（例えばhttp://192.168.10.1/admin/adminfrm.htm）によりアクセス可能となっている。同様に、画像形成装置３ＢのＷｅｂサーバが提供する複数の装置設定ページも、それぞれ画像形成装置３ＢのＩＰアドレスと、装置設定ページのページ識別情報とで構成されるＵＲＬによりアクセス可能となっている。また、画像形成装置３ＡのＷｅｂサーバと、画像形成装置３ＢのＷｅｂサーバは、同一の装置設定ページに対して同一のページ識別情報を付与している。
【００３４】
設定メニュー４１Ｃには、設定値表示領域４１Ｂに表示させる設定値の区分４４が表示されていて、任意の区分４４を選択操作することで、設定値表示領域４１Ｂに任意の区分４４の設定値４３を表示できるようになっている。尚、この設定メニュー４１Ｃは、設定値４３の数が区分するほど多くない装置設定ページの場合、省略される。
【００３５】
設定値表示領域４１Ｂには、設定項目ごとに設定値４３が表示されている。各設定値４３は、数値や文字列で表され、入力もしくは選択可能な形態で表示される。具体的には、設定値４３を入力するためのテキストボックス、リストから所望の設定値４３を選択するためのリストボックス、表示された設定値４３のうちの１つもしくは複数を選択するオプションボタンもしくはチェックボックスなどの形態で表示される。
【００３６】
さらに、設定値表示領域４１Ｂには、設定値表示領域４１Ｂに表示されている各設定値４３がユーザにより変更された場合に、変更された設定値４３をＷｅｂサーバに送信するための送信ボタン４５と、変更された設定値４３をクリアする（変更前に戻す）ためのキャンセルボタン４６とが表示されている。装置設定ページ４１の構成は、以上のようになっている。
【００３７】
ここで、装置設定ページ４１を介して画像形成装置３Ａの装置設定を行う際の動作について簡単に説明する。ユーザは、ブラウザ画面４０に表示された装置設定ページ４１の設定メニュー４１Ｃから所望の区分４４を選択することで、設定値表示領域４１Ｂに所望の区分４４の設定値４３を表示させる。その後、ユーザは、設定値表示領域４１Ｂに表示されている設定値４３を適宜変更する。変更を完了したユーザは、設定値表示領域４１Ｂに表示されている送信ボタン４５を押下操作する。ここで、装置設定ページ４１は、送信ボタン４５が押下操作されると、設定値表示領域４１Ｂに表示されている設定値４３のうち、変更された設定値（これを変更設定値と呼ぶ）４３のみを画像形成装置３ＡのＷｅｂサーバに送信するようプログラムされている。Ｗｅｂブラウザ３３は、この装置設定ページ４１のプログラムにしたがって、変更設定値４３を画像形成装置３ＡのＷｅｂサーバに送信する。尚、Ｗｅｂブラウザ３３から画像形成装置３ＡのＷｅｂサーバに送信される各設定値４３には、どの設定項目の設定値４３かわかるよう例えば設定項目名も含まれている。画像形成装置３ＡのＣＰＵ１０は、Ｗｅｂサーバにより変更設定値４３を受信すると、画像形成装置３Ａの各設定項目のうち、変更設定値４３の設定項目に対応する設定項目の設定値を変更設定値４３で更新することで、画像形成装置３Ａの装置設定を行う（つまり装置設定を変更する）。装置設定ページ４１を介して画像形成装置３Ａの装置設定を行う際の動作は、以上のようになっている。
【００３８】
尚、ここでは、装置設定ページ４１の送信ボタン４５が押下操作されると、Ｗｅｂブラウザ３３が、設定値表示領域４１Ｂに表示されている設定値４３のうち、ユーザにより変更された変更設定値４３のみを画像形成装置３ＡのＷｅｂサーバに送信するようにしたが、これに限らず、設定値表示領域４１Ｂに表示されている全ての設定値４３を、画像形成装置３ＡのＷｅｂサーバに送信するようにしてもよい。この場合、例えば、画像形成装置３ＡのＣＰＵ１０が、設定項目ごとに、受信した設定値４３と現在の設定値とを比較して、受信した設定値４３と現在の設定値とが異なっている設定項目についてのみ、受信した設定値４３で更新するようにすればよい。
【００３９】
［５．装置設定の装置間コピー］
次に、携帯端末２を介して画像形成装置３Ａ、３Ｂ間で装置設定をコピーする際の動作（これを装置設定コピー動作と呼ぶ）について、図６、図７に示すシーケンスチャートを用いて詳しく説明する。尚、この装置設定コピー動作は、携帯端末２と、画像形成装置３Ａ、３Ｂとが協働して行う動作であり、ここでは、一例として、画像形成装置３Ａの装置設定を変更後、変更された装置設定を画像形成装置３Ｂにコピーして反映させる場合について説明する。
【００４０】
携帯端末２のＣＰＵ２０は、ユーザにより専用アプリ３４を起動するよう指示されると、図６に示すステップＳＰ１において、専用アプリ３４を起動する。起動した専用アプリ３４は、ステップＳＰ２において、タッチパネル２３上に、装置設定のコピー元となる画像形成装置３（ここでは画像形成装置３Ａ）に携帯端末２をかざすよう促すメッセージ（図示せず）を表示させる。
【００４１】
このメッセージにしたがってユーザが携帯端末２を画像形成装置３Ａにかざすと、ステップＳＰ３において、専用アプリ３４は、ＮＦＣタグ情報取得部３４Ｂにより、画像形成装置３ＡのＮＦＣタグ１７に書き込まれている情報を読み取り、この情報から画像形成装置３Ａの機種名とＩＰアドレスを取得する。
【００４２】
つづくステップＳＰ４において、専用アプリ３４は、タッチパネル２３に表示しているメッセージを消去するとともに、Ｗｅｂブラウザ３３を起動して、取得したＩＰアドレスをもとに画像形成装置３ＡのＷｅｂサーバにアクセスさせ、画像形成装置３ＡのＷｅｂサーバが提供する複数の装置設定ページのうちの１つを、ブラウザ画面４０に表示させる。尚、ＩＰアドレスのみでＷｅｂサーバにアクセスしたときに、最初にブラウザ画面４０に表示される装置設定ページは、あらかじめ決められていて、例えば、装置情報（装置名、設置場所など）に関する装置設定ページである。
【００４３】
ここで、ユーザが、装置設定ページ内のリンクを選択操作することで、ブラウザ画面４０に所望の装置設定ページ（例えば装置設定ページ４１）を表示させ、さらに、表示させた装置設定ページ４１内の設定値４３を適宜変更した後、送信ボタン４５を押下操作したとする。
【００４４】
ステップＳＰ５において、専用アプリ３４は、送信ボタン４５が押下操作されたことを認識すると、ステップＳＰ６に移り、設定値記憶部３４Ａにより、現在表示されている装置設定ページ４１のＵＲＬと、現在表示されている装置設定ページ４１内の全ての設定値４３を記憶する。このとき設定値記憶部３４Ａに記憶されるＵＲＬ及び設定値４３が、コピー元の装置設定ページのＵＲＬ及び設定値４３となる。尚、設定値記憶部３４Ａに記憶される設定値４３には、どの設定項目の設定値４３かわかるよう設定項目名も含まれている。
【００４５】
つづくステップＳＰ７において、Ｗｅｂブラウザ３３は、現在表示している装置設定ページ４１内の設定値４３のうち、ユーザにより変更された設定値（つまり変更設定値）４３のみを画像形成装置３ＡのＷｅｂサーバに送信する。ステップＳＰ８において、画像形成装置３ＡのＣＰＵ１０は、Ｗｅｂサーバにより受信した変更設定値４３をもとに装置設定を変更する。
【００４６】
このようにして画像形成装置３Ａの装置設定を変更した後、携帯端末２の専用アプリ３４は、図７に示すステップＳＰ９において、タッチパネル２３上に、装置設定のコピー先となる画像形成装置３（ここでは画像形成装置３Ｂ）に携帯端末２をかざすよう促すメッセージ（図示せず）を表示させる。尚、この時点で、携帯端末２のタッチパネル２３には、装置設定ページ４１が表示されているため、メッセージは、例えば、装置設定ページ４１上に重ねて表示される。
【００４７】
このメッセージにしたがってユーザが携帯端末２を画像形成装置３Ｂにかざすと、ステップＳＰ１０において、専用アプリ３４は、ＮＦＣタグ情報取得部３４Ｂにより、画像形成装置３ＢのＮＦＣタグ１７に書き込まれている情報を読み取り、この情報から画像形成装置３Ｂの機種名とＩＰアドレスを取得する。
【００４８】
つづくステップＳＰ１１において、専用アプリ３４は、先に取得した画像形成装置３Ａの機種名と、今回取得した画像形成装置３Ｂの機種名とをもとに、画像形成装置３Ａと画像形成装置３Ｂとが、同一の装置設定ページを有する機種であるかどうか（つまり装置設定をコピー可能な機種であるかどうか）をチェックする。尚、専用アプリ３４は、どの機種とどの機種が同一の装置設定ページを有するのかを示す情報を有していて、この情報をもとに、画像形成装置３Ａと画像形成装置３Ｂとが、同一の装置設定ページを有する機種であるかどうかをチェックするようになっている。
【００４９】
ここで、仮に、画像形成装置３Ａと画像形成装置３Ｂとが、同一の装置設定ページを有する機種でない場合、専用アプリ３４は、画像形成装置３Ａの装置設定を画像形成装置３Ｂにはコピーできない旨を示すエラーメッセージを表示させ、装置設定コピー動作を終了する。一方で、画像形成装置３Ａと画像形成装置３Ｂとが、同一の装置設定ページを有する機種であると確認できた場合、専用アプリ３４は、次のステップＳＰ１２に移る。
【００５０】
ステップＳＰ１２において、専用アプリ３４は、タッチパネル２３に表示しているメッセージを消去するとともに、設定値記憶部３４Ａに記憶しているＵＲＬを読み出して、このＵＲＬに含まれるＩＰアドレス（つまり装置設定のコピー元となる画像形成装置３ＡのＩＰアドレス）を、ＮＦＣタグ情報取得部３４Ｂにより取得したＩＰアドレス（つまり装置設定のコピー先となる画像形成装置３ＢのＩＰアドレス）に置き換えることで、新たなＵＲＬを得る。
【００５１】
具体的には、設定値記憶部３４Ａに記憶されているＵＲＬが例えばhttp://192.168.10.1/admin/adminfrm.htmであるとすると、このＵＲＬに含まれる画像形成装置３ＡのＩＰアドレスである192.168.10.1を、画像形成装置３ＢのＩＰアドレスである192.168.10.2に置き換えることで、新たなＵＲＬとしてhttp://192.168.10.2/admin/adminfrm.htmを得る。
【００５２】
これにより、専用アプリ３４は、画像形成装置３Ｂ側の複数の装置設定ページのうち、画像形成装置３Ａ側で設定値が変更された装置設定ページ（つまりコピー元の装置設定ページであり、現在表示されている装置設定ページ）４１と同一の装置設定ページのＵＲＬを得たことになる。
【００５３】
そして、専用アプリ３４は、Ｗｅｂブラウザ３３に対して、新たに得たＵＲＬをもとに画像形成装置３ＢのＷｅｂサーバにアクセスさせることで、現在表示されている画像形成装置３Ａ側の装置設定ページ４１に代えて、画像形成装置３Ｂ側の複数の装置設定ページのうち、現在表示されている画像形成装置３Ａの装置設定ページ４１と同一の装置設定ページを、ブラウザ画面４０に表示させる。尚、ここでは、画像形成装置３Ａ側の装置設定ページ４１に代えて、画像形成装置３Ｂ側の装置設定ページを表示させているが、例えば、画像形成装置３Ｂ側の装置設定ページを、別ウインドウで表示させたり、別タブで表示させたりしてもよい。
【００５４】
このように、専用アプリ３４は、画像形成装置３Ａ側の任意の装置設定ページで設定値が変更された後、携帯端末２が画像形成装置３Ｂにかざされると、画像形成装置３Ｂ側の複数の装置設定ページのうち、画像形成装置３Ａ側で設定値が変更された装置設定ページ（つまり直前まで表示されていた装置設定ページ）と同一の装置設定ページをブラウザ画面４０に表示させるようになっている。
【００５５】
つづくステップＳＰ１３において、専用アプリ３４は、ブラウザ画面４０に表示させた画像形成装置３Ｂの装置設定ページ内の各設定値を、設定値記憶部３４Ａに記憶されている各設定値４３で置き換える。これにより、画像形成装置３Ａ側の装置設定ページ４１から、画像形成装置３Ｂ側の同一装置設定ページへと、設定値がコピーされたことになる。
【００５６】
図８に、この時点でブラウザ画面４０に表示されている画像形成装置３Ｂの装置設定ページ５０を示す。この図８に示すように、画像形成装置３Ｂ側の装置設定ページ５０は、画像形成装置３Ａ側の装置設定ページ４１と同一の装置設定ページであり、且つ装置設定ページ５０内の各設定値４３は、装置設定ページ４１内の各設定値４３と等しくなっている。
【００５７】
ここで、専用アプリ３４が、装置設定ページ５０内の各設定値４３のうち、コピー前とコピー後とで値が異なる設定値４３を強調表示させるようにしてもよい。このようにすれば、画像形成装置３Ａ側の装置設定ページ４１から画像形成装置３Ｂ側の装置設定ページ４１へと各設定値４３をコピーした結果、装置設定ページ５０内の各設定値４３のうち、どの設定値４３が変更されたのかを、ユーザに容易に認識させることができる。
【００５８】
ここで、ユーザは、画像形成装置３Ａ側の装置設定ページ４１から画像形成装置３Ｂ側の装置設定ページ５０へと各設定値４３がコピーされたことを確認したうえで、表示されている装置設定ページ５０内の送信ボタン４５を押下操作する。
【００５９】
ステップＳＰ１４において、Ｗｅｂブラウザ３３は、送信ボタン４５が押下操作されたことを認識すると、ステップＳＰ１５に移り、現在表示している装置設定ページ５０の設定値４３のうち、変更された設定値（つまり変更設定値）４３のみを画像形成装置３ＢのＷｅｂサーバに送信する。ステップＳＰ１６において、画像形成装置３ＢのＣＰＵ１０は、Ｗｅｂサーバにより受信した変更設定値４３をもとに装置設定を変更する。これにより、画像形成装置３Ａ側で変更された装置設定が、画像形成装置３Ｂにコピーされて反映されたことになる。装置設定コピー動作は、以上のようになっている。
【００６０】
尚、ここでは、画像形成装置３Ａ、３Ｂ間で装置設定をコピーする場合について述べたが、例えば、画像形成装置３が３台以上存在する場合には、任意の画像形成装置３で装置設定を変更した後、画像形成装置３Ｂに対して行った上述の操作と同一の操作を、他の複数の画像形成装置３に対して順番に行うことで、任意の画像形成装置３側で変更された装置設定を、他の複数の画像形成装置３に順番にコピーできる。
【００６１】
［６．まとめと効果］
ここまで説明したように、ネットワークシステム１の携帯端末２は、画像形成装置３ＡのＷｅｂサーバにアクセスし、装置設定のコピー元となる画像形成装置３Ａの装置設定ページ４１をブラウザ画面４０上に表示させる。ここで、ユーザが、現在表示されている装置設定ページ４１内の送信ボタン４５を押下操作すると、携帯端末２は、現在表示している装置設定ページ４１内で変更された設定値４３を、画像形成装置３ＡのＷｅｂサーバに送信することで画像形成装置３Ａの装置設定を変更するとともに、現在表示している装置設定ページ４１のＵＲＬと設定値４３とを記憶する。
【００６２】
その後、携帯端末２は、装置設定のコピー先となる画像形成装置３Ｂにかざされると、近距離無線通信により、画像形成装置３ＢからＩＰアドレスを取得する。さらに、携帯端末２は、記憶しているＵＲＬに含まれるＩＰアドレスを、画像形成装置３Ｂから取得したＩＰアドレスに置き換えることにより、画像形成装置３Ｂの複数の装置設定ページのうち、現在表示している画像形成装置３Ａの装置設定ページ４１と同一の装置設定ページ５０のＵＲＬを得る。
【００６３】
そして、携帯端末２は、このＵＲＬにアクセスすることで、装置設定のコピー先となる画像形成装置３Ｂの装置設定ページ５０をブラウザ画面４０上に表示させ、さらに、記憶している装置設定ページ４１の設定値４３を、この装置設定ページ５０にコピーする。その後、ユーザが、現在表示されている装置設定ページ５０内の送信ボタン４５を押下操作すると、携帯端末２は、現在表示している装置設定ページ５０内で変更された設定値４３を、画像形成装置３ＢのＷｅｂサーバに送信することで画像形成装置３Ｂの装置設定を変更する。
【００６４】
このように、携帯端末２は、コピー元の画像形成装置３Ａの装置設定ページ４１を表示している状態で、装置設定ページ４１の送信ボタン４５を押下操作して携帯端末２をコピー先の画像形成装置３Ｂにかざす操作が行われると、コピー元の画像形成装置３Ａの装置設定ページ４１に示されている装置設定を、コピー先の画像形成装置３Ｂの装置設定ページ５０にコピーするようになっている。
【００６５】
つまり、携帯端末２では、コピー元の画像形成装置３Ａの装置設定ページ４１の送信ボタン４５を押下操作して携帯端末２をコピー先の画像形成装置３Ｂにかざすことが、コピー元の画像形成装置３Ａの装置設定ページ４１に示されている装置設定をコピー先の画像形成装置３Ｂの装置設定ページ５０にコピーするよう指示する操作となっていて、このような簡単且つ直感的な操作により、コピー元の画像形成装置３Ａの装置設定ページ４１に示されている装置設定をコピー先の画像形成装置３Ｂの装置設定ページ５０にコピーすることができる。
【００６６】
かくして、本実施の形態のネットワークシステム１では、従来と比べてより簡単に画像形成装置３間で装置設定をコピーできる。
【００６７】
また、本実施の形態のネットワークシステム１では、コピー元の画像形成装置３Ａの装置設定ページ４１を表示している状態で、携帯端末２がコピー先の画像形成装置３Ｂにかざされると、画像形成装置３Ｂ側の複数の装置設定ページのうち、画像形成装置３Ａ側の装置設定ページ４１と同一の装置設定ページ５０を自動で表示するようにした。こうすることで、ネットワークシステム１では、例えば、画像形成装置３Ａ側の装置設定ページ４１内の設定値４３を、画像形成装置３Ｂ側の装置設定ページ５０にコピーする際に、画像形成装置３Ｂ側の複数の装置設定ページの中から装置設定ページ５０を探すユーザの手間を省くことができる。
【００６８】
さらに、ネットワークシステム１では、携帯端末２に表示させていた装置設定ページ４１内の設定値４３のみをコピー対象として、コピー先となる装置設定ページ５０にコピーするようにした。つまり、ユーザが目視確認している装置設定ページ４１内の設定値４３のみをコピー対象として、コピー先となる装置設定ページ５０にコピーするようにした。こうすることで、ネットワークシステム１では、コピー元の設定値４３と、コピー先の設定値４３とをユーザが一目で確認することができる。換言すれば、ネットワークシステム１は、携帯端末２のタッチパネル２３上に１度に表示できる程度の少量の設定値４３を画像形成装置３間でコピーする場合に、特に有効となる。
【００６９】
［７．他の実施の形態］
［７−１．他の実施の形態１］
尚、上述した実施の形態では、携帯端末２に画像形成装置３Ａの装置設定ページ４１を表示している状態で、装置設定ページ４１内の送信ボタン４５が押下操作された後、携帯端末２が画像形成装置３Ｂにかざされると、携帯端末２の専用アプリ３４が、画像形成装置３Ａ側の装置設定ページ４１と対応する画像形成装置３Ｂ側の装置設定ページ５０にアクセスして、装置設定ページ５０を携帯端末２に表示するとともに、記憶している装置設定ページ４１内の設定値４３を装置設定ページ５０にコピーし、その後、装置設定ページ５０内の送信ボタン４５が押下操作されると、装置設定ページ５０内の設定値４３により画像形成装置３Ｂの装置設定を変更するようにした。
【００７０】
これに限らず、例えば、携帯端末２に画像形成装置３Ａの装置設定ページ４１を表示している状態で、装置設定ページ４１内の送信ボタン４５が押下操作された後、携帯端末２が画像形成装置３Ｂにかざされると、携帯端末２の専用アプリ３４が、画像形成装置３Ｂ側の装置設定ページ５０にアクセスして、装置設定ページ５０を携帯端末２に表示することなくバックグラウンドで、記憶している装置設定ページ４１内の設定値４３を装置設定ページ５０にコピーし、その後、装置設定ページ５０内の送信ボタン４５の押下操作を自動的に行うようにしてもよい。
【００７１】
この場合、コピー先の装置設定ページ５０に対する一連の処理がバックグラウンドで実行されるため、携帯端末２に装置設定ページ５０が表示されなくなり、ユーザが装置設定ページ５０内の設定値４３を確認できなくなるが、送信ボタン４５の押下操作を省略する分、より簡単な操作で、画像形成装置３間で装置設定をコピーできるようになる。
【００７２】
［７−２．他の実施の形態２］
また、上述した実施の形態では、携帯端末２を画像形成装置３に近づけることで、携帯端末２が画像形成装置３のＮＦＣタグ１７から画像形成装置３の機種名とＩＰアドレスを読み取るようにした。これに限らず、携帯端末２が、ネットワーク４を介して画像形成装置３と通信することで、画像形成装置３の機種名とＩＰアドレスを取得するようにしてもよい。
【００７３】
ここで、このように携帯端末２がネットワーク４を介して画像形成装置３と通信することで、画像形成装置３の機種名とＩＰアドレスを取得する場合の、装置設定コピー動作について簡単に説明する。
【００７４】
携帯端末２の専用アプリ３４は、起動すると、まずネットワーク４上の画像形成装置３のＩＰアドレスを検索することで、画像形成装置３のＩＰアドレスを取得し、取得したＩＰアドレスをもとに画像形成装置３のリストを作成して、これをタッチパネル２３上に表示する。そして、このリストから、装置設定のコピー元となる例えば画像形成装置３Ａがユーザにより選択されると、専用アプリ３４は、画像形成装置３Ａと通信することで機種名を取得するとともに、画像形成装置３ＡのＷｅｂサーバにアクセスして、画像形成装置３Ａの装置設定ページを、ブラウザ画面４０上に表示する。
【００７５】
その後、任意の装置設定ページ（例えば装置設定ページ４１）内の送信ボタン４５が押下操作されると、Ｗｅｂブラウザ３３が、装置設定ページ４１内で変更された設定値４３を、画像形成装置３ＡのＷｅｂサーバに送信することで画像形成装置３Ａの装置設定を変更するとともに、専用アプリ３４が、現在表示している装置設定ページ４１のＵＲＬと設定値４３とを記憶する。
【００７６】
ここで、専用アプリ３４は、ネットワーク４を介して携帯端末２と接続されている画像形成装置３のリストを再度、タッチパネル２３上に表示する。尚、このとき表示されるリストには、装置設定のコピー元となる画像形成装置３Ａは表示されない。そして、このリストから、装置設定のコピー先となる例えば画像形成装置３Ｂがユーザにより選択されると、専用アプリ３４は、画像形成装置３Ｂと通信することで機種名を取得するとともに、画像形成装置３ＢのＷｅｂサーバにアクセスして、画像形成装置３Ｂの装置設定ページ５０を、ブラウザ画面４０上に表示するとともに、記憶している装置設定ページ４１内の設定値４３を装置設定ページ５０にコピーする。その後、装置設定ページ５０内の送信ボタン４５が押下操作されると、Ｗｅｂブラウザ３３が、装置設定ページ５０内で変更された設定値４３を、画像形成装置３ＢのＷｅｂサーバに送信することで画像形成装置３Ｂの装置設定を変更する。携帯端末２がネットワーク４を介して画像形成装置３と通信することで、画像形成装置３の機種名とＩＰアドレスを取得する場合の、装置設定コピー動作は、以上のようになっている。
【００７７】
尚、この場合も、上述したように、コピー先の装置設定ページ（例えば装置設定ページ５０）に対する一連の処理をバックグラウンドで実行するようにしてもよい。また、携帯端末２に表示したリストから装置設定のコピー先となる画像形成装置３を複数選択できるようにして、携帯端末２の専用アプリ３４が、リストから選択された複数の画像形成装置３に対して、順番に、コピー先の装置設定ページに対する一連の処理をバックグラウンドで実行するようにしてもよい。このようにすれば、携帯端末２は、ユーザにリストから装置設定のコピー先となる画像形成装置３を複数選択させた以降、何ら操作させることなく、任意の画像形成装置３の装置設定を、リストから選択された複数の画像形成装置３のそれぞれにコピーできる。
【００７８】
また、ここでは、携帯端末２がネットワーク４を介して画像形成装置３と通信することで、画像形成装置３の機種名とＩＰアドレスを取得するとしたが、これに限らず、例えば、携帯端末２と画像形成装置３とにそれぞれＢｌｕｅｔｏｏｔｈ（登録商標）モジュールを設け、携帯端末２がＢｌｕｅｔｏｏｔｈ（登録商標）により画像形成装置３と通信することで、画像形成装置３の機種名とＩＰアドレスを取得するなどしてもよい。
【００７９】
［７−３．他の実施の形態３］
さらに、上述した実施の形態では、画像形成装置３Ａの装置設定ページ４１を携帯端末２に表示させた後、装置設定ページ４１内の設定値４３を変更したうえで、この装置設定ページ４１の設定値４３を、画像形成装置３Ｂ側の装置設定ページ５０にコピーするようにした。これに限らず、画像形成装置３Ａの装置設定ページ４１を携帯端末２に表示させた後、装置設定ページ４１内の設定値４３を変更することなく、この装置設定ページ４１の設定値４３を、画像形成装置３Ｂ側の装置設定ページ５０にコピーすることもできる。この場合、図６に示した、装置設定コピー動作のシーケンスチャートのうち、ステップＳＰ７とステップＳＰ８の処理を省略するようにすればよい。
【００８０】
［７−４．他の実施の形態４］
さらに、上述した実施の形態では、携帯端末２と複数の画像形成装置３（３Ａ、３Ｂ）とで構成されるネットワークシステム１に本発明を適用した。これに限らず、情報処理端末と複数の装置とで構成されるネットワークシステムであり、且つ複数の装置のそれぞれが装置設定用のＷｅｂサーバを有するネットワークシステムであれば、ネットワークシステム１とは異なるネットワークシステムに適用してもよい。例えば、情報処理端末としてのＰＣ（パーソナルコンピュータ）と、装置設定用のＷｅｂサーバを有するプリンタとで構成されるネットワークシステムなどにも適用できる。
【００８１】
さらに、上述した実施の形態では、情報処理端末としての携帯端末２に本発明を適用した。これに限らず、装置設定用のＷｅｂサーバを有する複数の装置と通信可能で、各装置のＷｅｂサーバが提供するＷｅｂページを表示可能なものであれば、携帯端末２とは異なる情報処理端末に適用してもよい。さらに、上述した実施の形態では、装置設定用のＷｅｂサーバを有する装置としての画像形成装置３に本発明を適用した。これに限らず、装置設定用のＷｅｂサーバを有するものであれば、画像形成装置３とは異なる装置に適用してもよい。例えば、プリンタや無線ＬＡＮルーターなどにも適用できる。
【００８２】
［７−５．他の実施の形態５］
さらに、上述した実施の形態では、Ｗｅｂサーバを有する装置としての画像形成装置３が備える装置側通信部の具体例として、Ｗｉ−Ｆｉユニット１６を用いた。これに限らず、ネットワークを介して情報処理端末としての携帯端末２と通信可能なものであれば、Ｗｉ−Ｆｉユニット１６とは異なる通信部を用いてもよい。さらに、上述した実施の形態では、Ｗｅｂサーバを有する装置としての画像形成装置３が備える装置側近距離無線通信部の具体例として、ＮＦＣタグ１７を用いた。これに限らず、情報処理端末としての携帯端末２と近距離無線通信可能なものであれば、ＮＦＣタグ１７とは異なる近距離無線通信部を用いてもよい。
【００８３】
さらに、上述した実施の形態では、情報処理端末としての携帯端末２が備える制御部の具体例として、専用アプリ３４を実行するＣＰＵ１０を用いた。これに限らず、専用アプリ３４を実行するＣＰＵ１０と同等に機能するものであれば、ＣＰＵ１０とは異なる制御部を用いてもよい。例えば、専用アプリ３４と同等のプログラムが組み込まれた専用のプロセッサなどを用いてもよい。さらに、上述した実施の形態では、情報処理端末としての携帯端末２が備える端末側通信部の具体例として、Ｗｉ−Ｆｉユニット２４を用いた。これに限らず、ネットワークを介してＷｅｂサーバを有する装置としての画像形成装置３と通信可能なものであれば、Ｗｉ−Ｆｉユニット２４とは異なる通信部を用いてもよい。さらに、上述した実施の形態では、情報処理端末としての携帯端末２が備える端末側近距離無線通信部の具体例として、ＮＦＣユニット２５を用いた。これに限らず、Ｗｅｂサーバを有する装置としての画像形成装置３と近距離無線通信可能なものであれば、ＮＦＣユニット２５とは異なる近距離無線通信部を用いてもよい。
【００８４】
［７−６．他の実施の形態６］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【００８５】
本発明は、装置間で装置設定をコピーする必要性のあるネットワークで広く利用することができる。
【符号の説明】
【００８６】
１……ネットワークシステム、２……携帯端末、３Ａ、３Ｂ……画像形成装置、１０、２０……ＣＰＵ、１６、２４……Ｗｉ−Ｆｉユニット、１７……ＮＦＣタグ、２３……タッチパネル、２５……ＮＦＣユニット、３０……無線ＬＡＮ通信制御部、３１……ＮＦＣ通信制御部、３２……タッチパネル制御部、３３……Ｗｅｂブラウザ、３４……専用アプリ、３４Ａ……設定値記憶部、３４Ｂ……ＮＦＣタグ情報取得部、４０……ブラウザ画面、４１、５０……装置設定ページ、４３……設定値、４５……送信ボタン。
【図１】
2019109848.tif 000003
【図２】
2019109848.tif 000004
【図３】
2019109848.tif 000005
【図４】
2019109848.tif 000006
【図５】
2019109848.tif 000007
【図６】
2019109848.tif 000008
【図７】
2019109848.tif 000009
【図８】
2019109848.tif 000010